(57)【要約】  語音了解度システム。話手ユニットと、聴手ユニットと、イヤピースとを備える。話手ユニットは、可聴スピーチコンテントを受けるとともにスピーチコンテントを表す電気信号を生成するマイクロフォンと、スピーチコンテントを含む無線送信信号を生成するようにそのマイクロフォンに接続されている送信器とを含む。聴手ユニットは、無線送信信号を受信するとともにスピーチコンテントを表す電気信号を生成する受信器を含む。話手ユニット及び聴手ユニットの少なくとも一方は、８００Ｈｚから１，７００Ｈｚまでの下限と、７，０００Ｈｚから１１，０００Ｈｚまでの上限を有する周波数範囲内におけるスピーチコンテントのスペクトル成分を増幅する増幅器を含む。イヤピースは、聴手ユニットに接続されるとともに増幅されたスペクトル成分を有するスピーチコンテントを生成するスピーカと、スピーチコンテントをスピーカからユーザの外耳道に向けて案内するチューブとを含む。
2018504857.tif 000002
【特許請求の範囲】
【請求項１】
語音了解度向上システムであって、
可聴スピーチコンテントを受信するとともに前記可聴スピーチコンテントを表す電気信号を生成するマイクロフォン、及び
前記可聴スピーチコンテントを含む無線送信信号を生成するように前記マイクロフォンに接続された送信器、
を含む話手ユニットと、
前記無線送信信号を受信するとともに前記可聴スピーチコンテントを表す電気信号を生成する受信器
を含む聴手ユニットと、
を備え、前記話手ユニット及び前記聴手ユニットの少なくとも一方は、約８００Ｈｚから１，７００Ｈｚまでの下限と約７，０００Ｈｚから１１，０００Ｈｚまでの上限とを有する周波数範囲内における前記可聴スピーチコンテントのスペクトル成分を増幅する増幅器を含み、
前記語音了解度向上システムは、
増幅された前記スペクトル成分を有する可聴スピーチコンテントを生成するように前記聴手ユニットに接続されたスピーカ、及び
前記可聴スピーチコンテントを前記スピーカからユーザの外耳道に向けるチューブ
を含み、前記聴手ユニットに接続されたイヤピースを備えている語音了解度向上システム。
【請求項２】
前記聴手ユニットと前記イヤピースのスピーカとの間の有線接続をさらに含む請求項１に記載の語音了解度向上システム。
【請求項３】
前記増幅器は前記話手ユニットに内蔵されている請求項１に記載の語音了解度向上システム。
【請求項４】
前記聴手ユニットと前記イヤピースのスピーカとの間の有線接続をさらに含む請求項３に記載の語音了解度向上システム。
【請求項５】
前記増幅器は前記聴手ユニットに内蔵されている請求項１に記載の語音了解度向上システム。
【請求項６】
前記聴手ユニットと前記イヤピースのスピーカとの間の有線接続をさらに含む、請求項５に記載の語音了解度向上システム。
【請求項７】
前記増幅器のゲインは、増幅がなされる周波数範囲の下限でのスペクトル成分についての第１の値から、約３，０００Ｈｚから４，５００Ｈｚまでの周波数範囲内におけるスペクトル成分についての第２の値である最大値まで一般的に増加するとともに、前記最大値から前記増幅がなされる周波数範囲の上限でのスペクトル成分についての第３の値まで減少する請求項１に記載の語音了解度向上システム。
【請求項８】
前記ゲインの第１の値は、約５ｄｂ以下である請求項７に記載の語音了解度向上システム。
【請求項９】
前記ゲインの第２の値である最大値は、約１０ｄｂから約３０ｄｂまでである請求項８に記載の語音了解度向上システム。
【請求項１０】
前記ゲインの第３の値は、約５ｄｂ以下である請求項９に記載の語音了解度向上システム。
【請求項１１】
前記イヤピースは、マイクロフォンを含むヘッドセットの構成部品であり、
前記ヘッドセットは、前記マイクロフォンを前記話手ユニットに接続するように構成される、請求項１に記載の語音了解度向上システム。
【請求項１２】
前記話手ユニットを、前記話手ユニットの前記マイクロフォンと前記ヘッドセットの前記マイクロフォンの一方に接続するスイッチをさらに含む、請求項１１に記載の語音了解度向上システム。
【請求項１３】
前記話手ユニットと前記聴手ユニットが一体化される、請求項１２に記載の語音了解度向上システム。
【請求項１４】
聴手ユニットと併用するために構成された語音了解度話手ユニットであって、前記語音了解度話手ユニットは、スピーチコンテントのソースに接続されるように構成され、約８００Ｈｚから１，７００Ｈｚまでの下限と約７，０００Ｈｚから１１，０００Ｈｚまでの上限とを有する周波数範囲内におけるスピーチコンテントのスペクトル成分を増幅する増幅器を含む、語音了解度話手ユニット。
【請求項１５】
前記増幅器のゲインは、増幅がなされる周波数範囲の下限でのスペクトル成分についての第１の値から、約３，０００Ｈｚから４，５００Ｈｚまでの周波数範囲内におけるスペクトル成分についての第２の値である最大値まで一般的に増加するとともに、前記最大値から前記増幅がなされる周波数範囲の上限でのスペクトル成分についての第３の値まで減少する請求項１４に記載の語音了解度話手ユニット。
【請求項１６】
前記スピーチコンテントを生成するマイクロフォンをさらに含む請求項１４に記載の語音了解度話手ユニット。
【請求項１７】
話手ユニットと併用するために構成された語音了解度聴手ユニットであって、前記語音了解度聴手ユニットは、スピーチコンテントのソースに接続されるように構成され、約８００Ｈｚから１，７００Ｈｚまでの下限と約７，０００Ｈｚから１１，０００Ｈｚまでの上限とを有する周波数範囲内におけるスピーチコンテントのスペクトル成分を増幅する増幅器を含み、前記聴手ユニットは、前記増幅したスピーチコンテントのスペクトル成分をスピーカに接続するように構成される語音了解度聴手ユニット。
【請求項１８】
前記増幅器のゲインは、増幅がなされる周波数範囲の下限でのスペクトル成分についての第１の値から、約３，０００Ｈｚから４，５００Ｈｚまでの周波数範囲内におけるスペクトル成分についての第２の値である最大値まで一般的に増加するとともに、前記最大値から前記増幅がなされる周波数範囲の上限でのスペクトル成分についての第３の値まで減少する請求項１７に記載の語音了解度聴手ユニット。
【請求項１９】
前記スピーチコンテントの前記増幅したスペクトル成分を受けるように接続されたスピーカを有するイヤピースをさらに含む請求項１７に記載の語音了解度聴手ユニット。
【発明の詳細な説明】
【技術分野】
【０００１】
本発明は、聴覚障害者のために、了解度を高めるようにスピーチを処理して再生するシステムに関する。
【背景技術】
【０００２】
聴覚障害は、人々のかなりの部分の生活の質を損ねている。難聴によって引き起こされる問題は、フラストレーションの原因から抑鬱や引きこもりまで多岐にわたる可能性がある。
【０００３】
聴覚障害者がスピーチを理解する能力は、語音了解度（ｉｎｔｅｌｌｉｇｉｂｉｌｉｔｙ  ｏｆ  ｓｐｅｅｃｈ）としても知られ、多くの要因によって制限されている。１つの要因は、スピーチが行われている環境における環境雑音のレベルである。別の要因は、聴覚障害者が、話者のスピーチの主要な高周波成分における至ってソフトなレベルの成分を聴き取る能力の欠如である。室内音響からの反響音もまた、聴覚障害者のスピーチを理解する能力を制限する。
【０００４】
語音了解度を高めるシステムは、一般的には、特許文献１、特許文献２、特許文献３において公知であり、及び開示されており、これらの明細書は、あらゆる目的のために参照によってそれらの全体が本願明細書に組み込まれる。しかし、聴覚障害者のために語音了解度を高める改良されたシステムに対する必要性が引き続き存在する。
【先行技術文献】
【特許文献】
【０００５】
【特許文献１】米国特許第６，９９３，４８０号明細書
【特許文献２】米国特許出願公開第２００５／０１９５９９６号明細書
【特許文献３】米国特許出願公開第２０１０／０１６６２０９号明細書
【発明の概要】
【０００６】
語音了解度向上システムの態様は、話手ユニットと、聴手ユニットと、イヤピースとを備えている。話手ユニットは、可聴スピーチコンテントを受信するとともに前記可聴スピーチコンテントを表す電気信号を生成するマイクロフォンと、前記スピーチコンテントを含む無線送信信号を生成するように前記マイクロフォンに接続された送信器とを含んでいる。聴手ユニットは、無線送信信号を受信するとともに前記可聴スピーチコンテントを表す電気信号を生成する受信器を含んでいる。話手ユニット及び聴手ユニットの少なくとも一方は、約８００Ｈｚから１，７００Ｈｚまでの下限と、約７，０００Ｈｚから１１，０００Ｈｚまでの上限とを有する周波数範囲内におけるスピーチコンテントのスペクトル成分を増幅する増幅器を含んでいる。イヤピースは、聴手ユニットに接続され、かつ増幅されたスペクトル成分を有する可聴スピーチコンテントを生成するスピーカと、可聴スピーチコンテントをスピーカからユーザの外耳道に向けるチューブとを有する。
【図面の簡単な説明】
【０００７】
【図１】本発明の実施形態による語音了解度向上システムのブロック図。
【図２】図１に示すシステムの実施形態に用いることができるゲイン対周波数のグラフ。
【図３Ａ】図１に示すシステムの実施形態に用いることができる代替的なゲイン対周波数のグラフ。
【図３Ｂ】図１に示すシステムの実施形態に用いることができる代替的なゲイン対周波数のグラフ。
【図３Ｃ】図１に示すシステムの実施形態に用いることができる代替的なゲイン対周波数のグラフ。
【図３Ｄ】図１に示すシステムの実施形態に用いることができる代替的なゲイン対周波数のグラフ。
【図３Ｅ】図１に示すシステムの実施形態に用いることができる代替的なゲイン対周波数のグラフ。
【図３Ｆ】図１に示すシステムの実施形態に用いることができる代替的なゲイン対周波数のグラフ。
【図４】本発明の実施形態による別の語音了解度向上システムのブロック図。
【図５】環境雑音レベルの範囲で、本発明の実施形態によるプロトタイプの語音了解度向上システムを用いた（即ち補聴された）テスト参加者、並びに該システムを用いていない（即ち補聴されていない）テスト参加者の単語と音素の認識を示すパフォーマンスデータのグラフ。
【図６】本発明の実施形態によるプロトタイプの語音了解度向上システムを用いた（即ち補聴された）及び該システムを用いていない（即ち補聴されていない）テスト参加者の文章の認識を示すパフォーマンスデータのグラフ。
【図７】環境雑音レベルの範囲で、本発明の実施形態によるプロトタイプの語音了解度向上システムを用いた（即ち補聴された）及び該システムを用いていない（即ち補聴されていない）テスト参加者の文章の認識を示すパフォーマンスデータのグラフ。
【図８】環境雑音レベルの範囲で、本発明の実施形態によるプロトタイプの語音了解度向上システムを用いた（即ち補聴された）及び該システムを用いていない（即ち補聴されていない）テスト参加者の文章の認識を示すパフォーマンスデータのグラフ。
【発明を実施するための形態】
【０００８】
本発明の実施形態による語音了解度向上システムが図１に図示されている。システム１０は、話手ユニット１２と、受信器、即ち聴手ユニット１４と、イヤピース１６とを含む。話手ユニット１２の図示されている実施形態は、携帯機器とすることができるものであり、マイクロフォン２０と、増幅器２２と、送信器２４と、ハウジング２８に取り付けられ又は収納されているアンテナ２６とを含む。話者のスピーチは、マイクロフォン２０によって受音される。マイクロフォン２０は、スピーチの情報、即ちコンテントを含む電気信号に当該スピーチを変換する。増幅器２２は、電気的スピーチコンテント信号を処理（例えば、増幅）する。増幅されたスピーチコンテント信号は、送信器２４により、無線送信用に変調されて、話手ユニット１２からアンテナ２６を介して送信される。送信器２４は、Ｂｌｕｅｔｏｏｔｈ（登録商標）、周波数変調（ＦＭ）又は振幅変調（ＡＭ）等の何らかの適切な又は所望の変調及び送信プロトコルを実施することが可能である。聴手ユニット１４は、アンテナ３０と、受信器３２と、増幅器３４と、調節つまみ３７を有する音量調節器３６と、ハウジング３８に取り付けられ又は内蔵されている出力接続部、即ちジャック３９とを含む。話手ユニット１２からの無線スピーチコンテント信号は、アンテナ３０によって受信され、受信器３２によって復調される。増幅器３４は、当該スピーチコンテント信号を音量調節器３６によって制御されるレベル、及びつまみ３７を利用することによって設定されるレベルに調節することを含め、変調されたスピーチコンテント信号を処理する。そして、増幅されたスピーチコンテント信号は、ジャック３９を介して聴手ユニット１４から出力される。イヤピース１６は、イヤフック４０と、スピーカ４２と、音声配信チューブ４４とを含んでいる。図示されている実施形態において、スピーカ４２は、イヤフック４０のハウジング４６内に設けられている。またスピーカ４２は、ワイヤ５０を介して、聴手ユニット１４のジャック３９に接続しているプラグ４８にも接続されている。図示されている実施形態において、イヤフック４０は、音声配信チューブ４４の一部である。聴手ユニット１４からの電気的スピーチコンテント信号は、プラグ４８及びワイヤ５０を介してスピーカ４２に接続される。スピーカ４２は、スピーチ信号から可聴スピーチコンテントを生成し、その可聴スピーチコンテントは、チューブ４４を介してイヤピース１６を着用しているユーザの外耳道に向けられる。
【０００９】
システム１０によってユーザに供給される可聴語音了解度を向上させるために、話手ユニットの増幅器２２及び聴手ユニットの増幅器３４の少なくともいずれか一方は、スピーチ信号のスペクトル成分、即ち周波数成分を選択的に増幅する。本発明のいくつかの実施形態において、選択的増幅は、専ら話手ユニット１２の増幅器２２によって実行される。増幅器２２及び３４の少なくともいずれか一方は、従来の又は公知の設計とすることができ、しかも、例えば正ゲインを与えることにより、或いはフィルタリングを介して（即ち、負ゲイン）を与えることにより、従来の又は公知のアプローチによって増幅を実行することが可能である。
【００１０】
図２は、本発明の実施形態において、増幅器２２及び３４の少なくともいずれか一方によってもたらされ図示されている実施形態において、増幅器２２及び３４の少なくともいずれか一方は、語音了解度に最も関係のあるスピーチ信号のスペクトル成分を選択的に増幅するゲイン伝達関数（即ち、ゲイン対周波数）のグラフである。ある実施形態において、増幅がなされる周波数範囲は、約８００Ｈｚから１，７００Ｈｚまでの下限と、約７，０００Ｈｚから１１，０００Ｈｚまでの上限とを有する可能性がある。他の実施形態では、増幅がなされる周波数範囲の下限は、約１，０００Ｈｚから１，５００Ｈｚまでであり、増幅がなされる周波数範囲の上限は、約８，０００から１０，０００Ｈｚまでである。増幅がなされる周波数範囲の下限におけるスピーチ信号の増幅の量は、約５ｄｂ以下（例えば、約０ｄｂ迄）とすることが可能である。同様に、増幅された範囲の上限におけるスピーチ信号の増幅の量は、約５ｄｂ以下（例えば、約０ｄｂ迄）とすることが可能である。図２に示す実施形態において、ゲインは、一般的に、増幅がなされる範囲の下限での値から、約３，０００Ｈｚから４，５００Ｈｚまでの周波数における最大値まで増加し、また、一般的に、その最大から、増幅がなされる範囲の上限での値まで低下する。最大増幅値は、例えば、約１０ｄｂから３０ｄｂまでとすることが可能である。また、図２に示すように、増幅の量は、例えば、音量調節つまみ３７の利用によって、ユーザが選択することが可能である。
【００１１】
増幅器２２，３４の増幅周波数閾値（即ち、増幅が開始又は終了する周波数）、及び増幅器の増幅伝達関数は、本発明の異なる実施形態において多様である。一般に、増幅器２２，３４は、音に含まれる環境雑音の主要な部分の範囲より高い周波数を有する音を増幅するように構成されている。例えば、航空機内での使用に適合されたバージョンのシステム１０における増幅閾値周波数及び伝達関数、あるいは増幅閾値周波数又は伝達関数は、屋外街路環境での使用に適合されたものと違えてもよい。一般に、語音了解度指数（ｓｐｅｅｃｈ  ｉｎｔｅｌｌｉｇｉｂｉｌｉｔｙ  ｉｎｄｅｘ：ＳＩＩ）は、語音認識が聴者の聴力閾値から計算することができるスピーチスペクトル可聴度と、聴者の耳に到達する語音及び雑音の長期平均スペクトルとに対して直接的に比例して増加する。ＳＩＩ＝ΣＩｉＡｉであり、Ｉｉは、語音了解度に関するｉ番目の周波数帯域の重要度を特徴付ける関数であり、Ａｉは、聴者の閾値、即ちマスキング音より上のｉ番目の周波数帯域における音声ダイナミックレンジの割合を表す。語音了解度にとって重要な情報を典型的には含んでおらず、しかも音声から有用な情報を引き出す聴覚障害者の能力を損ねる可能性がある、音声信号の雑音及びその他の比較的低周波の成分は有効に除去される。そのため、増幅器２２や３４は、情報を含む音声スペクトルコンテントの音量を向上しながらも、環境中の知覚騒音を比例して高めることはない。また、室内音響からの反響も、システム１０によって著しく低減することができ、別の要因が、そのシステムによってもたらされる、向上された語音了解度に寄与している。
【００１２】
要約すると、スピーチ処理システム１０の構成部品は、マイクロフォン２０によって受けられた音声であって、聴覚障害者によって知覚される可能性があるスピーチコンテントを通常は含んでいるものが有する周波数部分の音量を増加させるように協働する。本発明の他の実施形態（図示せず）は、スピーカ４２によって出力される音声の全音量を安全な作動レベルに制限するために、話手ユニット１２及び聴手ユニット１４の少なくともいずれか一方に出力リミッタを含んでいる。従って、聴覚障害者は、イヤピース１６に供されるスピーチコンテントを、話手ユニット１２で受けられたスピーチを含む元の音声よりも良好に（即ち、より明瞭に）理解することが可能である。それにより、聴力損失に付随する煩雑さを低減して、生活全体の質を高めることが可能である。例えばシステム１０は、話しているときの距離を克服するように、家庭環境で使用される携帯式又は固定式の装置とすることが可能である。またシステム１０は、ミーティングやレストラン等の騒がしい環境でも使用可能である。システム１０が、聴覚障害者の生活の質を高めることができる他の一般的な日常の環境は、ショッピング、診療予約及び（例えば、航空機、自動車及びバスでの）移動を含む。コミュニケーション及び安全性の有効性も、システム１０の使用によって高めることが可能である。検査では、約１４ｄｂの最大ゲイン値での図２に示すようなゲイン伝達関数によって、単語理解の顕著な改善（例えば、２０％程度）が実証された。
【００１３】
スピーチ処理システム１０は、多数の追加的な実施形態のうちのいずれにおいても実施することが可能である。例えば、システム１０は、（例えば、会話の過程で）異なるユーザによって使用される複数の聴手ユニット１４を有することが可能である。同様に、システム１４は、１つ以上の聴手ユニット１４と情報をやり取りする複数の話手ユニット１２を有することが可能である。話手ユニット１２及び聴手ユニット１４は、特許文献３に記載されているプロトコル等のパケットベースの通信プロトコルのために構成することが可能である。話手ユニット１２及び聴手ユニット１４は、これらのユニットを都合良くユーザに取り付けたり、或いはユーザが着用したりするためのクリップ又はラニヤードを有することが可能である。オン／オフスイッチ、制御部及びディスプレイといった他のユーザインタフェース機能を、話手ユニット１２及び聴手ユニット１４に組み込むことが可能である。音声配信チューブ４４を使用することの利点は、周囲の音を受けるために外耳道を開いている間（さらにはまた、ユーザが装置を使用して補聴が可能な間）、スピーカ４２からのスピーチをユーザに提供するために、チューブの端部をユーザの外耳道の近くに配置することができるということである。本発明の他の実施形態（図示せず）において、イヤピース１６は、イン−イヤ式装置である。本発明のさらに他の実施形態（図示せず）は、聴手ユニット１４からのスピーチコンテント信号をイヤピース１６に接続するための無線技術（例えば、Ｂｌｕｅｔｏｏｔｈ）を有している。さらに他の実施形態（図示せず）において、聴手ユニット１４の構成部品及び機能は、イヤピース１６に組み込まれている。
【００１４】
図４は、本発明の実施形態による話者／聴者語音了解度向上システム１１１の図である。図示されているように、話者／聴者システム１１１は、送信機、即ち話手ユニット１１２と、受信機、即ち聴手ユニット１１４と、ヘッドセット１１５とを含んでいる。話手ユニット１１２及び聴手ユニット１１４は、同じユーザによって使用されるように構成されている。図４においては、別体のハウジング１２８，１３８を有するように図示されているが、他の実施形態では、これらのハウジングは、一体化され、つまり両ユニットの機能部品が共通のハウジング内に接続されている。アンテナ１３０と、受信器１３２と、増幅器１３４と、音量調節器１３６とを含む構成部品、並びに聴手ユニット１１４の機能は、上述した聴手ユニット１４のものと同一又は同等にすることができ、また、同等の参照数字が同種の構成部品を識別するのに用いられている。特に、増幅器１３４は、システム１０に関連して上述したゲイン伝達関数を有することが可能である。
【００１５】
ヘッドセット１１５は、イヤピース１１６及びマイクロフォン１１７を含んでいる。イヤフック１４０、スピーカ１４２、及び音声配信チューブ１４４を含むイヤピース１１６の構成部品及び機能は、上述したイヤピース１６のものと同一又は同等にすることができ、同等の参照数字が、同種の構成部品を識別するのに用いられている。スピーカ１４２は、聴手ユニット１１４のジャック１３９に接続するプラグ１４８に、ワイヤ１５０を介して接続されている。マイクロフォン１１７は、ワイヤ１５１を介してプラグ１４９に接続されている。ある実施形態において、ヘッドセット１１５は、ユーザの両耳に１つずつ、２つのイヤピース１１６を有することが可能である。また、ヘッドセット１１５のある実施形態は、音声をユーザの片耳又は両耳に取り付けるための他の構造、例えば、イヤチップを含むこともできる。一例として、ヘッドセット１１５は、米国イリノイ州エルクグローブビレッジ所在のエティモティックリサーチ社より入手可能なＨＦ３ヘッドセットとすることが可能である。
【００１６】
話手ユニット１１２は、上述した話手ユニット１２のものと同一又は同等の方法で機能するマイクロフォン１２０、増幅器１２２、送信器１２４、及びアンテナ１２６を含み、同等の参照数字が、同種の構成部品を識別するのに用いられている。特に増幅器１２２は、システム１０に関連して上述したゲイン伝達関数を有することが可能である。図示されているように、話手ユニット１１２は、マイクロフォン１２０、即ち入力接続部とジャック１５５のいずれか一方を増幅器１２２に接続するように作動可能なスイッチ１５３を含む。ジャック１５５は、ヘッドセット１１５のプラグ１４９に接続されるように構成されている。これにより、話者／聴者システム１１１のユーザは、（例えば、スイッチ１５３を作動させることにより）ヘッドセット１１５のマイクロフォン１１７又は話手ユニット１１２のマイクロフォン１２０を介して、システムを作動させてスピーチを受けることが可能である。話手ユニット１１２によって生成された増幅後のスピーチコンテント信号は、例えば、システム１１１の聴手ユニット１１４と、別の人によって使用されているシステム１１１等の１つ以上の他の聴者／話者システム（図示せず）と、上述した型式の１つ以上の聴手ユニット１４との少なくともいずれか１つに送信可能である。他の実施形態において、話手ユニット１１２によって生成されたスピーチコンテント信号は、（例えば、図４に示す無線送信とは対照的に）有線接続によって、システム１１１の関連する聴手ユニット１１４に伝送される。
【００１７】
図５から図８は、本発明の実施形態によるプロトタイプの語音了解度向上システムを用いた研究中に、参加者から得られたパフォーマンスデータのグラフである。以下においてヒヤフック（ＨｅａｒＨｏｏｋ）装置と呼称される、研究用に用いたプロトタイプの装置は、上述したシステム１０と実質的に同じであり、図２に示すタイプのゲイン対周波数特性を有していた。
【００１８】
すべての参加者は、４つの聴取条件、即ち、１）静寂時の補聴なしでの単語認識、２）静寂時の補聴ありの単語認識、３）喧騒時の補聴なしでの文節認識、及び４）喧騒時の補聴ありの文節認識、を完了した。参加者は、補聴あり条件においては、ヒヤフック装置を着用し、補聴なし条件では着用しなかった。補聴器のユーザは、すべてのテスト条件の前に、本人の補聴器を取り外して試験に参加した。補聴なし及び補聴ありの条件は、喧騒テスト時の単語認識及びスピーチの両方に対して無作為化した。テスト全体を通して、必要に応じて定期的に休憩が与えられた。
【００１９】
補聴ありの条件の場合、ヒヤフック受信器は、小さなフレキシブルオープンフィット形イヤフックを用いて両耳に着用させた。ヒヤフック送信器は、対象のスピーカから４インチ（約１．０１メートル）の所に掛けた。これは、ラペルマイクロフォンの伝送距離を模倣するために行った。ヒヤフックシステムによって加えられる高周波ゲインの量は、参加者全員について一定であり、ピークゲインは、１０００Ｈｚから４０００Ｈｚまでの間で１７ｄＢであった。
【００２０】
静寂時の単語認識は、音場内で完了した。刺激は、音素的にバランスを取って記録した子音−母音−子音（ｃｏｎｓｏｎａｎｔ−ｖｏｗｅｌ−ｃｏｎｓｏｎａｎｔ：ＣＶＣ）の単音節単語リスト（ｍｏｎｏｓｙｌｌａｂｉｃ  ｗｏｒｄ  ｌｉｓｔｓ）（Ｅｎｇｌｉｓｈ  Ｓｐｅｅｃｈ  Ａｕｄｉｏｍｅｔｒｙ，Ｂｒｉｇｈａｍ  Ｙｏｕｎｇ  Ｕｎｉｖｅｒｓｉｔｙ，１９９８年）とした。１０個の音素的にバランスのとれた単語からなる２つのリストが、補聴あり及び補聴なしの両条件に対して採点された。両耳の単語レセプション閾値（ｒｅｃｅｐｔｉｏｎ  ｔｈｒｅｓｈｏｌｄ  ｆｏｒ  ｗｏｒｄｓ：ＲＴＷ）、即ち参加者が４５％から５５％までの単語を正しく答えた場合を判断するために、ｄＢＨＬにおけるプレゼンテーションレベルを３ｄＢずつ適応調節した。単語の正解率は、閾値の上下の２から３のプレゼンテーションレベルでも記録された。閾値プレゼンテーションレベルについて等音素（ｉｓｏｐｈｏｎｅｍｅｓ）の正解率を計算し、調査結果を確認するために上下の２から３の追加的なプレゼンテーションについても同様に計算した。
【００２１】
騒音テストにおけるスピーチは、成人ＡｚＢｉｏ文節及び雑音を用いて実施した。聴者は、較正されたスピーカを８つ並べたＲ−ＳＰＡＣＥアレイ（“Ｄｅｖｅｌｏｐｉｎｇ  ａｎｄ  Ｔｅｓｔｉｎｇ  ａ  Ｌａｂｏｒａｔｏｒｙ  Ｓｏｕｎｄ  Ｓｙｓｔｅｍ  Ｔｈａｔ  Ｙｉｅｌｄｓ  Ａｃｃｕｒａｔｅ  Ｒｅａｌ−Ｗｏｒｌｄ  Ｒｅｓｕｌｔｓ，”ｈｅａｒｉｎｇｒｅｖｉｅｗ．ｃｏｍ，Ｏｃｔｏｂｅｒ，２００７年）のフロントスピーカから、記録されているＡｚＢｉｏ文節を聞いた。Ｒ−ＳＰＡＣＥ（登録商標）システムは、実行可能な現実世界の音響環境の最も正確な実験室シミュレーション（Ｃｏｍｐｔｏｎ−Ｃｏｎｌｅｙ，２００４＃１２９）においてヒヤフック装置をテストするこの研究のために選択した。ロウ・マルナティ（Ｌｏｕ  Ｍａｌｎａｔｉ）刺激は、イリノイ州シカゴの人気のあるピザ屋で、キーマー（ＫＥＭＡＲ）マネキンを用いて録音した生のレストランの音から作り、この研究のために、可能な限り実際のレストラン環境を再現するのに用いた。ＡｚＢｉｏのターゲット文節に伴うこの無指向性のレストラン騒音は、０度の方位角とした。信号レベルは、まず、＋５ｄＢの信号対雑音比（ＳＮＲ）で提示され、その後、さまざまなＳＮＲを生成するように調整した。イルミナティ騒音のプレゼンテーションレベルは、６０ｄＢ  ＳＰＬで一定のままであった。正解率は、各ＳＮＲプレゼンテーションレベルで計算した。両耳での文節レセプション閾値（ｂｉｎａｕｒａｌ  ｒｅｃｅｐｔｉｏｎ  ｔｈｒｅｓｈｏｌｄ  ｏｆ  ｓｅｎｔｅｎｃｅｓ：ＲＴＳ）、即ち参加者が４５から５５％までの文節を正解した場合のＳＮＲを決めるために、ＳＮＲを適応調節した。文節の正解率は、ＲＴＳでのＳＮＲについて記録され、さらに調査結果を確認するために、このプレゼンテーションレベルの上下の２から３における追加的なＳＮＲについて記録した。
【００２２】
平均年齢が７３．４歳（ＳＤ＝±８．５；範囲：５６歳から８６歳まで）の感音性難聴を伴う総勢１４人の参加者が研究（男性１０人、女性４人）に組み込まれた。１４人の参加者のうち７人は、補聴器の着用を経験しており、７人は、補聴器を着用したことがなかった。聴力測定データは、グループ全体で軽度から重度まで勾配のある感音性聴覚という結果をもたらした。
【００２３】
静寂時の単語認識に関しては、補聴あり状態で、ＲＴＷは、補聴なしの状態と比較して、９．２９ｄＢ改善した。サンプルｔ検定対を用いると、これら２つの状態はかなり異なっていた（ｔ＝６．５２，ｄｆ＝１３，ｐ＜０．０００１）。
【００２４】
喧騒時のスピーチに関しては、補聴あり状態で、ＲＴＳは、補聴なしの状態と比較して、４．７１ｄＢのＳＮＲだけ改善した。対応のあるサンプルｔ検定を用いると、これら２つの状態はかなり異なっていた（ｔ＝９．９５，ｄｆ＝１３，ｐ＜０．０００１）。
【００２５】
本発明を好適な実施形態に関して説明してきたが、当業者は、本発明の趣旨及び範囲から逸脱することなく、形式上及び細部において変更を行えることを認識するであろう。聴覚障害者による使用に関して記載されているが、本装置は、（例えば、距離、騒音、反響に関連する聞き取りの問題を克服するために）会議室等の広範囲の場所で、良好なスピーチ理解を所望する者なら誰でも使用することが可能である。
【図１】
2018504857.tif 000003
【図２】
2018504857.tif 000004
【図３Ａ】
2018504857.tif 000005
【図３Ｂ】
2018504857.tif 000006
【図３Ｃ】
2018504857.tif 000007
【図３Ｄ】
2018504857.tif 000008
【図３Ｅ】
2018504857.tif 000009
【図３Ｆ】
2018504857.tif 000010
【図４】
2018504857.tif 000011
【図５】
2018504857.tif 000012
【図６】
2018504857.tif 000013
【図７】
2018504857.tif 000014
【図８】
2018504857.tif 000015
【国際調査報告】
2018504857.tif 000016
2018504857.tif 000017